(57)【要約】【課題】ユーザとユーザが視聴する場所に応じて適切で有効なコンテンツを再生する。【解決手段】ＮＦＣ等の近距離無線通信部を備えたユーザ端末４０が接近して通信接続されると、ＮＦＣ−ＩＤ等の端末ＩＤが取得される。サーバ３０において、当該端末ＩＤのユーザ端末４０が今まで接続したことのあるサイネージ装置１０の装置ＩＤにその接続回数を対応付けて記憶したユーザ端末利用情報（ＤＢ）と各装置ＩＤに設置国／地域情報を対応付けて記憶した装置設置情報（ＤＢ）とに基づいて、最多接続回数の装置ＩＤを有するサイネージ装置１０の設置国／地域がユーザの国／地域として取得される。ユーザ端末４０を接続したサイネージ装置１０の設置国／地域が前記ユーザの国／地域と異なる場合、複数の国／地域向けコンテンツの中から前記ユーザの国／地域向けコンテンツが読出され再生中コンテンツと切替えられて再生される。【選択図】      図１
2017228174.tif 000002
【特許請求の範囲】
【請求項１】
外部端末と接続する端末接続手段と、
前記端末接続手段により接続された外部端末の端末情報を取得する端末情報取得手段と、
前記端末情報取得手段により取得された端末情報に対応した外部端末と自装置を含む複数の出力装置との接続回数および当該各出力装置の場所情報に基づいて、前記接続された外部端末に関する場所情報を取得する場所情報取得手段と、
前記場所情報取得手段により取得された前記接続された外部端末に関する場所情報と自装置の場所情報とに基づいて出力対象のコンテンツを制御する出力制御手段と、
を備えたことを特徴とする出力装置。
【請求項２】
前記場所情報取得手段は、前記端末情報取得手段により取得された端末情報に対応した外部端末と自装置を含む複数の出力装置との接続回数および当該各出力装置の場所情報に基づいて、当該接続回数が最多の出力装置の場所情報を前記接続された外部端末に関する場所情報として取得する、
ことを特徴とする請求項１に記載の出力装置。
【請求項３】
前記場所情報取得手段は、前記端末情報取得手段により取得された端末情報に対応した外部端末と自装置を含む複数の出力装置との接続回数および当該各出力装置の場所情報に基づいて、当該接続回数が最多又は最多以下所定の範囲で複数の出力装置が存在する場合は、当該複数の出力装置のうち最初に接続した出力装置の場所情報を前記接続された外部端末に関する場所情報として取得する、
ことを特徴とする請求項１又は請求項２に記載の出力装置。
【請求項４】
前記場所情報取得手段は、前記端末情報取得手段により取得された端末情報と自装置の情報とをサーバへ送信し、当該サーバから、前記送信した端末情報に対応した外部端末と自装置を含む複数の出力装置との接続回数および当該各出力装置の場所情報に基づいて、前記接続された外部端末に関する場所情報を取得する、
ことを特徴とする請求項１乃至請求項３の何れか１項に記載の出力装置。
【請求項５】
前記場所情報取得手段は、
前記端末情報取得手段により取得された端末情報に対応した外部端末と自装置を含む複数の出力装置との接続回数および当該各出力装置の場所情報に基づいて、当該接続回数が最多又は最多以下所定の範囲で複数の出力装置が存在する場合、当該複数の出力装置それぞれの場所情報を取得する複数場所情報取得手段を有する、
ことを特徴とする請求項１乃至請求項４の何れか１項に記載の出力装置。
【請求項６】
前記複数場所情報取得手段は、前記端末情報取得手段により取得された端末情報と自装置の情報とをサーバへ送信し、当該サーバから、前記送信した端末情報に対応した外部端末と自装置を含む複数の出力装置との接続回数および当該各出力装置の場所情報に基づいて、当該接続回数が最多又は最多以下所定の範囲で複数の出力装置が存在する場合、当該複数の出力装置それぞれの場所情報を取得する、
ことを特徴とする請求項５に記載の出力装置。
【請求項７】
前記出力制御手段は、前記場所情報取得手段により取得された前記接続された外部端末に関する場所情報と自装置の場所情報とが異なる場合に前記出力対象のコンテンツを切り替える、
ことを特徴とする請求項１乃至請求項６の何れか１項に記載の出力装置。
【請求項８】
出力装置のコンピュータを制御するための出力方法であって、
外部端末と接続し、
前記接続された外部端末の端末情報を取得し、
前記取得された端末情報に対応した外部端末と自装置を含む複数の出力装置との接続回数および当該各出力装置の場所情報に基づいて、前記接続された外部端末に関する場所情報を取得し、
前記取得された前記接続された外部端末に関する場所情報と自装置の場所情報とに基づいて出力対象のコンテンツを制御する、
ことを特徴とする出力方法。
【請求項９】
出力装置のコンピュータを制御するためのプログラムであって、
前記コンピュータを、
外部端末と接続する端末接続手段と、
前記端末接続手段により接続された外部端末の端末情報を取得する端末情報取得手段と、
前記端末情報取得手段により取得された端末情報に対応した外部端末と自装置を含む複数の出力装置との接続回数および当該各出力装置の場所情報に基づいて、前記接続された外部端末に関する場所情報を取得する場所情報取得手段と、
前記場所情報取得手段により取得された前記接続された外部端末に関する場所情報と自装置の場所情報とに基づいて出力対象のコンテンツを制御する出力制御手段、
として機能させるためのコンピュータ読み取り可能なプログラム。
【発明の詳細な説明】
【技術分野】
【０００１】
本発明は、出力装置、出力方法、及びその制御プログラムに関する。
【背景技術】
【０００２】
動画、静止画、音声等、様々なメディアによって広告等のコンテンツを再生する出力装置がある。このような出力装置では、視聴者（ユーザ）に応じた内容のコンテンツを再生することが望ましい。
【０００３】
ユーザのスマートフォンから他の再生機器にコンテンツを転送して再生する従来のコンテンツ再生システムにおいて、当該スマートフォンが保持しているユーザの視聴スタイルを定めるスタイル情報も前記再生するコンテンツと合せて再生機器に転送し、そのスタイル情報に応じて再生部を制御し、コンテンツを再生することが考えられている（例えば、特許文献１参照。）。
【先行技術文献】
【特許文献】
【０００４】
【特許文献１】特開２０１３−１２６０５９号公報
【発明の概要】
【発明が解決しようとする課題】
【０００５】
現在、通信環境の発達により世界各地で多様なコンテンツが再生されている状況にあるが、ユーザが視聴する場所に応じて適切なコンテンツを再生することが望まれる。
【０００６】
本発明は、このような課題に鑑みなされたもので、ユーザが視聴する場所に応じて適切なコンテンツを再生することが可能になる出力装置、出力方法、及びその制御プログラムを提供することを目的とする。
【課題を解決するための手段】
【０００７】
本発明に係る出力装置は、外部端末と接続する端末接続手段と、前記端末接続手段により接続された外部端末の端末情報を取得する端末情報取得手段と、前記端末情報取得手段により取得された端末情報に対応した外部端末と自装置を含む複数の出力装置との接続回数および当該各出力装置の場所情報に基づいて、前記接続された外部端末に関する場所情報を取得する場所情報取得手段と、前記場所情報取得手段により取得された前記接続された外部端末に関する場所情報と自装置の場所情報とに基づいて出力対象のコンテンツを制御する出力制御手段と、を備えたことを特徴としている。
【発明の効果】
【０００８】
本発明によれば、ユーザが視聴する場所に応じて適切なコンテンツを再生することが可能になる。
【図面の簡単な説明】
【０００９】
【図１】本発明の出力装置の実施形態に係るサイネージ装置１０（１０Ａ，１０Ｂ，…）を備えたコンテンツ再生システムの構成を示す概略図。
【図２】前記サイネージ装置１０の電子回路の構成を示すブロック図。
【図３】前記サイネージ装置１０のコンテンツメモリ１７に記憶された各国／地域向け動画コンテンツ１７ＤＢの内容を示す図。
【図４】前記コンテンツ再生システムのサーバ３０に記憶された装置設置情報（データベース）３０Ａの内容を示す図。
【図５】前記コンテンツ再生システムのサーバ３０に記憶されたユーザ端末利用情報（データベース）３０Ｂの内容を示す図。
【図６】前記サイネージ装置１０（１０Ａ，１０Ｂ，…）のコンテンツ再生処理を示すフローチャート。
【図７】前記サイネージ装置１０（１０Ａ，１０Ｂ，…）のコンテンツ再生処理におけるユーザ情報取得処理（Ｓ４）の内容を示すフローチャート。
【図８】前記サーバ３０のユーザ情報推定処理を示すフローチャート。
【図９】前記サーバ３０のユーザ情報推定処理の他の実施形態に応じて変更する部分の処理を示すフローチャート。
【図１０】前記サイネージ装置１０（１０Ａ，１０Ｂ，…）のコンテンツ再生処理の他の実施形態に応じて変更する部分の処理を示すフローチャート。
【発明を実施するための形態】
【００１０】
以下図面により本発明の実施の形態について説明する。
【００１１】
図１は、本発明の出力装置の実施形態に係るサイネージ装置１０（１０Ａ，１０Ｂ，…）を備えたコンテンツ再生システムの構成を示す概略図である。
【００１２】
このコンテンツ再生システムは、例えば複数の国／地域（場所）に分散して設置される複数のサイネージ装置１０（１０Ａ，１０Ｂ，…）と、当該各サイネージ装置１０Ａ，１０Ｂ，…と通信ネットワークＮを介して通信接続可能なサーバ３０とを備える。
【００１３】
図２は、前記サイネージ装置１０の電子回路の構成を示すブロック図である。
【００１４】
このサイネージ装置１０は、プロジェクタ技術を用いた電子マネキンであり、例えば商業施設の店頭に設置される。
【００１５】
このサイネージ装置１０は、装置本体に内蔵されたリアプロジェクション方式の投影部１１により背面側から画像が投影されて表示されるスクリーンパネル１２を備え、当該スクリーンパネル１２には、商品説明員等の広告モデルを含む広告画像が投影されて表示される。
【００１６】
また、このサイネージ装置１０は、スピーカ１３を備え、当該スピーカ１３からは、前記広告画像に応じた広告音声が出力される。
【００１７】
前記広告画像と広告音声は、１つの動画コンテンツに編集されて再生される。
【００１８】
また、装置本体の前面上部には、メニュー選択ボタン１４ａ〜１４ｄが、前記スクリーンパネル１２の下部に沿って投影されて表示される広告選択メニューの位置に対応して設けられる。この広告選択メニューは前記広告画像の一部に含ませて表示される。
【００１９】
また、装置本体の前面下部には、人感センサ１５が設けられる。
【００２０】
この人感センサ１５は、装置本体の所定の範囲内に接近した人物を検出するもので、この人感センサ１５により人物の接近が検出されることに応じて、前記動画コンテンツの再生が開始される。
【００２１】
そして、前記装置本体の前面パネルには、液晶表示部１６も設けられる。
【００２２】
コンテンツメモリ１７には前記動画コンテンツのデータが予め複数種類生成されて記憶される。このコンテンツメモリ１７に記憶される複数種類の動画コンテンツのデータは、後述するＣＰＵ２３により選択的に読み出され、システムバスＢＳを介して投影画像駆動部１８に送られる。
【００２３】
この投影画像駆動部１８は、前記システムバスＢＳを介して送られてきた広告画像のデータに応じて、所定のフォーマットに従ったフレームレート、例えば１２０［フレーム／秒］と色成分の分割数、及び表示階調数を乗算した、より高速な時分割駆動により、表示素子であるマイクロミラー素子１９を表示駆動する。
【００２４】
このマイクロミラー素子１９は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２５】
一方で、光源部２０から時分割でＲ，Ｇ，Ｂの原色光が循環的に出射される。この光源部２０は、半導体発光素子であるＬＥＤを有し、Ｒ，Ｇ，Ｂの原色光を時分割で繰り返し出射する。この光源部２０が有するＬＥＤは、広義でのＬＥＤとして、ＬＤ（半導体レーザ）や有機ＥＬ素子を含むものとしても良い。
【００２６】
また、前記ＬＥＤから出射された光を蛍光体に照射することで励起される、元の光とは波長が異なる原色光を用いるものとしても良い。この光源部２０からの原色光が、ミラー２１で反射して前記マイクロミラー素子１９に照射される。
【００２７】
そして、前記マイクロミラー素子１９での反射光で光像が形成され、当該形成された光像が前記投影部１１を介して前記スクリーンパネル１２の背面側から投射される。
【００２８】
前記投影部１１は、そのレンズ光学系中に合焦位置を可変するフォーカスレンズ、及び投影画角を可変するズームレンズを含む。これらフォーカスレンズ及びズームレンズは、レンズモータ（Ｍ）２２の回動駆動によりレンズ光軸に沿ってそれぞれ移動することで、当該投影部１１の出射する光像の合焦位置、投影画角がそれぞれ変化する。
【００２９】
前記各回路の動作すべてを前記ＣＰＵ２３が制御する。このＣＰＵ２３は、メインメモリ２４及びプログラムメモリ２５と直接接続される。前記メインメモリ２４は、例えばＳＲＡＭで構成され、前記ＣＰＵ２３のワークメモリとして機能する。前記プログラムメモリ２５は、電気的書き換え可能な不揮発性メモリ、例えばフラッシュＲＯＭで構成され、前記ＣＰＵ２３が実行する動作プログラムや各種定型データ等を記憶する。
【００３０】
なお、前記プログラムメモリ２５は、自装置１０の固有のＩＤ（装置ＩＤ）と設置された国／地域（場所）情報とを対応付けて記憶する。例えば前記サイネージ装置１０Ａの国／地域情報は「日本／東京」、１０Ｂは「日本／大阪」、１０Ｃは「中国／北京」等として記憶する。
【００３１】
前記ＣＰＵ２３は、前記プログラムメモリ２５に記憶されている動作プログラムや定型データ等を読出し、前記メインメモリ２４に展開して記憶させた上で当該プログラムを実行することにより、本サイネージ装置１０を統括して制御する。
【００３２】
前記ＣＰＵ２３は、操作部１４からの操作信号に応じて各種投影動作を実行する。この操作部１４は、サイネージ装置１０の本体に備える、電源キーを含むいくつかの操作キーのキー操作信号、及び前記メニュー選択ボタン１４ａ〜１４ｄのボタン操作信号を前記ＣＰＵ２３へ送出する。
【００３３】
前記ＣＰＵ２３はさらに、前記システムバスＢＳを介して前記人感センサ１５、表示部１６、音処理部２６、ネットワーク通信部２７、近距離無線通信部２８と接続される。
【００３４】
前記音処理部２６は、ＰＣＭ音源等の音源回路を備え、投影動作時に前記コンテンツメモリ１７から読み出されるコンテンツデータ中の音声データをアナログ化し、前記スピーカ１３を駆動して放音させ、あるいは必要によりビープ音等を発生させる。
【００３５】
前記ネットワーク通信部２７は、図示しない最寄りの無線ＬＡＮルータと接続し、インターネット等の前記通信ネットワークＮ上に設けられたサーバ３０との間でデータの送受信を行なう。
【００３６】
前記近距離無線通信部２８は、ＮＦＣやiBeacon（登録商標）等の低消費電力の無線通信機能を備え、例えばスマートフォンに搭載した同種の近距離無線通信部との接近に応じてデータの送受信を行なう。
【００３７】
図３は、前記サイネージ装置１０のコンテンツメモリ１７に記憶された各国／地域向け動画コンテンツ１７ＤＢの内容を示す図である。
【００３８】
前記コンテンツメモリ１７は、例えば前記各サイネージ装置１０Ａ，１０Ｂ，…が設置された各国／地域（場所）のそれぞれに応じた複数の動画コンテンツ１７ＤＢを、日本／東京向けコンテンツ、日本／大阪向けコンテンツ、中国／北京向けコンテンツ等として記憶する。例えば、日本／東京向けコンテンツは言語が日本語の東京弁で東京人向けの内容、日本／大阪向けコンテンツは、言語が日本語の大阪弁で大阪人向けの内容、中国／北京向けコンテンツは言語が中国語の北京弁で北京人向けの内容となっている。
【００３９】
図４は、前記コンテンツ再生システムのサーバ３０に記憶された装置設置情報（データベース）３０Ａの内容を示す図である。
【００４０】
この装置設置情報（データベース）３０Ａは、前記通信ネットワークＮを介して通信接続可能な複数のサイネージ装置１０（１０Ａ，１０Ｂ，…）それぞれの装置ＩＤと設置国／地域（場所）情報とを対応付けて記憶している。
【００４１】
図５は、前記コンテンツ再生システムのサーバ３０に記憶されたユーザ端末利用情報（データベース）３０Ｂの内容を示す図である。
【００４２】
このユーザ端末利用情報（データベース）３０Ｂは、ユーザの持つ端末（前記近距離無線通信部を搭載したスマートフォン等）４０が前記複数のサイネージ装置１０Ａ，１０Ｂ，…の何れかに接近して当該サイネージ装置１０を利用（装置１０と接続）する都度、当該ユーザ端末４０から端末情報として取得した端末ＩＤ（近距離無線通信部ＩＤ）と前記接続したサイネージ装置１０の装置ＩＤとに対応付けて、その利用（接続）回数を更新（加算）して記憶する。
【００４３】
なお、前記ユーザ端末利用情報（データベース）３０Ｂに対して、前記ユーザ端末４０が初めて利用（接続）したサイネージ装置１０の装置ＩＤと利用（接続）回数“１”とを記憶する際には、当該初回利用（接続）日時も対応付けて記憶する。
【００４４】
そして、前記サイネージ装置１０（１０Ａ，１０Ｂ，…）は、装置起動後の初期状態で自装置４０の設置された国／地域向けコンテンツを再生する機能、前記近距離無線通信部を搭載したスマートフォン等のユーザ端末４０と通信接続した際に、当該ユーザ端末４０から取得した端末ＩＤ（近距離無線通信部ＩＤ）と自装置ＩＤとを前記サーバ３０に送信して前記ユーザ端末利用情報３０Ｂ（図５参照）を作成あるいは更新させる機能、前記サーバ３０の装置設置情報３０Ａ（図４参照）とユーザ端末利用情報３０Ｂ（図５参照）に基づき、前記通信接続したユーザ端末４０の利用（接続）回数が多いサイネージ装置１０（１０Ａ，１０Ｂ，…）の設置国／地域情報をそのユーザの国／地域情報（ユーザ情報）として取得する機能（場所情報取得手段）、前記サーバ３０から取得したユーザ情報（国／地域情報）が自装置１０の設置国／地域情報と異なる場合に前記再生中のコンテンツを前記ユーザ情報（国／地域情報）に応じた国／地域向け（言語／内容の）コンテンツに切り替える機能（出力制御手段）等を有する。
【００４５】
このように構成されたサイネージ装置１０は、前記ＣＰＵ２３が前記動作プログラムに記述された命令に従い前記電子回路の各部の動作を制御し、ソフトウエアとハードウエアとが協働して動作することにより、以下の動作説明で述べるコンテンツ再生機能を実現する。
【００４６】
次に、前記構成のコンテンツ再生システムの動作について説明する。
【００４７】
図６は、前記サイネージ装置１０（１０Ａ，１０Ｂ，…）のコンテンツ再生処理を示すフローチャートである。
【００４８】
図７は、前記サイネージ装置１０（１０Ａ，１０Ｂ，…）のコンテンツ再生処理におけるユーザ情報取得処理（Ｓ４）の内容を示すフローチャートである。
【００４９】
図８は、前記サーバ３０のユーザ情報推定処理を示すフローチャートである。
【００５０】
前記サイネージ装置１０（１０Ａ，１０Ｂ，…）において、操作部１４の操作により自装置１０の起動が指示されるか、又は人感センサ１５により装置本体の所定の範囲内への人物（ユーザ）の接近が検出されると、当該装置１０が起動され（ステップＳ１）、コンテンツメモリ１７に記憶されている起動初期用のコンテンツのデータが読み出されて再生される（ステップＳ２）。
【００５１】
ここで、前記起動初期用のコンテンツは、自装置１０の設置国／地域情報に対応したコンテンツに設定されるもので、例えば当該自装置１０のプログラムメモリ２５に記憶された設置国／地域情報が「日本／大阪」である場合、日本／大阪向けコンテンツに設定される。
【００５２】
なお、前記サイネージ装置１０（１０Ａ，１０Ｂ，…）では、装置本体の所定の位置（近距離無線通信部２８の位置）に接近した前記近距離無線通信部を備えたスマートフォン等のユーザ端末４０に対して、クーポン等のユーザに有益な情報を送信して提供するサービスのアプリケーションを搭載しているものとし、当該サービスがあることが複数の国／地域に応じた言語で広告されていると仮定する。
【００５３】
そして、前記近距離無線通信部２８に前記ユーザ端末４０が接近して通信接続されることにより、前記ＣＰＵ２３によりユーザの利用があったと判断されると（ステップＳ３（Ｙｅｓ））、前記ユーザ情報取得処理（ステップＳ４）に従い、前記ユーザ端末４０から取得した端末ＩＤ(近距離無線通信部がＮＦＣの場合はＮＦＣ−ＩＤ)に自装置ＩＤを対応付けたデータを含むユーザ情報取得要求を前記サーバ３０へ送信する（ステップＳ４１）。
【００５４】
前記サーバ３０において、前記サイネージ装置１０から送信されたユーザ情報取得要求が受信されると（ステップＰ１（Ｙｅｓ））、受信した前記ユーザ端末４０の端末ＩＤと前記サイネージ装置１０の装置ＩＤとに対応付けて、前記ユーザ端末利用情報３０Ｂ（図５参照）にある端末利用（接続）回数を更新（＋１）する（ステップＰ２）。なお、前記サイネージ装置１０に対するユーザ端末４０の利用が初回であって、前記サーバ３０にて受信した端末ＩＤと装置ＩＤとの対応付けが初めてである場合は、前記ユーザ端末利用情報（データベース）３０Ｂに対して、当該対応付けが初めてである端末ＩＤと装置ＩＤに端末利用（接続）回数“１”とその利用（接続）日時とを対応付けた新たなデータを生成して記憶する（ステップＰ２）。
【００５５】
そして、前記ユーザ端末利用情報（データベース）３０Ｂにおいて、前記受信した端末ＩＤとの対応付けがあるサイネージ装置１０の装置ＩＤの中で、最多の端末利用（接続）回数から−２回の範囲で複数の装置ＩＤが抽出されるか否か、つまり、最多の端末利用（接続）回数と近似した端末利用（接続）回数の他の装置ＩＤがあるか否かが判断される（ステップＰ３）。
【００５６】
ここで、複数の装置ＩＤが抽出されないと判断された場合は（ステップＰ３（Ｎｏ））、前記装置設置情報３０Ａ（図４参照）に基づいて前記最多の端末利用（接続）回数の装置ＩＤに対応付けられた設置国／地域情報がユーザの国／地域を推定したユーザ情報として取得され（ステップＰ４ａ）、当該取得されたユーザ情報（国／地域）が前記ユーザ情報要求元のサイネージ装置１０へ送信される（ステップＰ５）。
【００５７】
すなわち、例えば、前記設置国／地域情報が「日本／大阪」であるサイネージ装置１０Ｂに対して端末ＩＤ“１１１”のユーザ端末４０が互いの近距離無線通信部により通信接続された場合、前記ユーザ端末利用情報（データベース）３０Ｂから当該端末ＩＤ“１１１”に最多の端末利用（接続）回数“４”が対応付けられた装置ＩＤ“Ａ”が抽出される。この場合、前記最多の端末利用（接続）回数“４”から−２回の範囲“４〜２”では前記端末ＩＤ“１１１”に対応付けられた複数の装置ＩＤは抽出されない。そして、前記抽出された装置ＩＤ“Ａ”のサイネージ装置１０Ａの設置国／地域情報「日本／東京」が前記装置設置情報（データベース）３０Ａから取得され、ユーザの国／地域を推定したユーザ情報として前記サイネージ装置「日本／大阪」１０Ｂに送信される。
【００５８】
前記サイネージ装置「日本／大阪」１０Ｂにおいて、前記サーバ３０から送信されたユーザ情報「日本／東京」が受信されると（ステップＳ４２（Ｙｅｓ））、自装置１０Ｂの設置国／地域情報「日本／大阪」と、前記受信されたユーザ情報である国／地域情報「日本／東京」とが異なると判断される（ステップＳ５（Ｎｏ））。
【００５９】
すると、前記ステップＳ２に従い再生中である日本／大阪向けコンテンツが、前記ユーザ情報である国／地域情報「日本／東京」に応じた言語／内容の日本／東京向けコンテンツに切り替えられて再生される（ステップＳ６→Ｓ２）。
【００６０】
これにより、前記設置国／地域情報「日本／大阪」であるサイネージ装置１０Ｂにおいて、日本語の大阪弁で大阪人向けの内容のコンテンツが再生されている状態で、前記設置国／地域情報「日本／東京」であるサイネージ装置１０Ａを最も多く利用（最多接続回数）しているユーザ（ユーザ端末４０（端末ＩＤ“１１１”））が接近した場合には、当該ユーザの国／地域情報を「日本／東京」と推定し、日本語の東京弁で東京人向けの内容のコンテンツに切り替えて再生できるようになる。
【００６１】
なお、本実施形態において、前記端末ＩＤ“１１１”のユーザ端末４０と通信接続されたサイネージ装置１０が、その設置国／地域情報「日本／東京」であるサイネージ装置１０Ａである場合は、前記ステップＳ５において、自装置１０Ａの設置国／地域情報「日本／東京」と、前記受信されたユーザ情報である国／地域情報「日本／東京」とが同じと判断されるので（ステップＳ５（Ｙｅｓ））、前記ステップＳ６でのコンテンツの切り替えを行なうことなく、前記ステップＳ２に従い再生中である日本／東京向けコンテンツが継続して再生される（ステップＳ５→Ｓ２）。
【００６２】
一方、前記サーバ３０の処理（図８参照）でのステップＰ３において、前記ユーザ端末利用情報（データベース）３０Ｂに前記サイネージ装置１０から受信した端末ＩＤとの対応付けがある装置ＩＤの中で、最多の端末利用（接続）回数から−２回の範囲で複数の装置ＩＤが抽出されたと判断された場合は（ステップＰ３（Ｙｅｓ））、当該抽出された複数の装置ＩＤのうち、初回利用（接続）日時が最初である装置ＩＤに対応付けられて前記装置設置情報（データベース）３０Ａに記憶されている設置国／地域情報が、ユーザの国／地域を推定したユーザ情報として取得される（ステップＰ４ｂ）。そして、前記取得されたユーザ情報（国／地域）が前記ユーザ情報要求元のサイネージ装置１０へ送信される（ステップＰ５）。
【００６３】
これにより、例えば前記設置国／地域情報「日本／大阪」であるサイネージ装置１０Ｂにおいて、日本語の大阪弁で大阪人向けの内容のコンテンツが再生されている状態で、前記設置国／地域情報「日本／東京」であるサイネージ装置１０Ａと前記設置国／地域情報「日本／大阪」であるサイネージ装置１０Ｂとを何れも同じ回数かあるいは略同じ回数利用（接続）しているユーザ（ユーザ端末４０）が接近した場合には、当該ユーザ（ユーザ端末４０）が最初に利用（接続）した方のサイネージ装置１０Ａの設置国／地域情報「日本／東京」を当該ユーザの国／地域情報と推定し、日本語の東京弁で東京人向けの内容のコンテンツに切り替えて再生できるようになる。
【００６４】
また、前記サーバ３０の処理（図８参照）でのステップＰ３において、前記ユーザ端末利用情報（データベース）３０Ｂに前記サイネージ装置１０から受信した端末ＩＤとの対応付けがある装置ＩＤの中で、最多の端末利用（接続）回数から−２回の範囲で複数の装置ＩＤが抽出されたと判断された場合は（ステップＰ３（Ｙｅｓ））、当該抽出された複数の装置ＩＤのうち、利用（接続）日時が最新（初回接続日時が遅い）である装置ＩＤに対応付けられて前記装置設置情報（データベース）３０Ａに記憶されている設置国／地域情報が、ユーザの国／地域を推定したユーザ情報として取得されてもよい（ステップＰ４ｂ）。上記の例では、最多の端末利用（接続）回数から−２回の範囲で複数の装置ＩＤが抽出されたか判断したが、これに限られず、適宜範囲の設定を変更してもよく、また、端末ＩＤごとに範囲を変更してもよい。
【００６５】
したがって、前記構成のコンテンツ再生システムのサイネージ装置１０（１０Ａ，１０Ｂ，…）によれば、ＮＦＣ等の近距離無線通信部を備えたユーザ端末４０が近距離無線通信部２８に接続されると、ＮＦＣ−ＩＤ等の端末ＩＤが取得される。そして、サーバ３０において、当該端末ＩＤのユーザ端末４０が今まで接続したことのあるサイネージ装置１０の装置ＩＤにその接続回数と初回接続日時とを対応付けて記憶したユーザ端末利用情報（データベース）３０Ｂと各装置ＩＤに設置国／地域情報を対応付けて記憶した装置設置情報（データベース）３０Ａとに基づいて、最多の接続回数の装置ＩＤを有するサイネージ装置１０の設置国／地域が前記ユーザ端末４０のユーザの国／地域として取得される。そして、前記ユーザ端末４０を接続したサイネージ装置１０の設置国／地域が前記ユーザの国／地域と異なる場合は、複数の国／地域向けコンテンツの中から前記ユーザの国／地域向けコンテンツが読み出され再生中のコンテンツと切り替えられて再生される。
【００６６】
これにより、ユーザ端末４０から個人情報を取得することなく、ユーザが視聴する場所に応じて適切なコンテンツを再生することが可能になる。
【００６７】
また、前記構成のコンテンツ再生システムのサイネージ装置１０（１０Ａ，１０Ｂ，…）によれば、前記ユーザ端末利用情報（データベース）３０Ｂに基づいて、今回サイネージ装置１０に接続したユーザ端末４０（端末ＩＤ）が今まで接続したことのあるサイネージ装置１０（装置ＩＤ）のうち最多の接続回数から−２回の範囲で複数のサイネージ装置１０（装置ＩＤ）が抽出された場合は、当該抽出された複数の装置ＩＤうち前記初回接続日時が最初の装置ＩＤを有するサイネージ装置１０の設置国／地域が前記ユーザの国／地域として取得される。
【００６８】
これにより、前記ユーザ端末４０との接続回数が最多で等しいか最多と略等しい複数のサイネージ装置１０（装置ＩＤ）が抽出された場合は、最初に接続した装置ＩＤを有するサイネージ装置１０の設置国／地域を前記ユーザの国／地域として推定できる。
【００６９】
（他の実施形態）
図９は、前記サーバ３０のユーザ情報推定処理の他の実施形態に応じて変更する部分の処理を示すフローチャートである。
【００７０】
図１０は、前記サイネージ装置１０（１０Ａ，１０Ｂ，…）のコンテンツ再生処理の他の実施形態に応じて変更する部分の処理を示すフローチャートである。
【００７１】
この他の実施形態では、前記サーバ３０の処理でのステップＰ３において、前記ユーザ端末利用情報（データベース）３０Ｂに前記サイネージ装置１０から受信した端末ＩＤとの対応付けがある装置ＩＤの中で、最多の端末利用（接続）回数から−２回（適宜変更可能）の範囲で複数の装置ＩＤが抽出されたと判断された場合は（ステップＰ３（Ｙｅｓ））、当該抽出された複数の装置ＩＤに対応付けられて前記装置設置情報（データベース）３０Ａに記憶されている各設置国／地域情報を、ユーザが任意の国／地域を選択するためのユーザ選択情報として取得する（ステップＰ４´）。そして、前記取得されたユーザ選択情報（各国／地域）を前記ユーザ情報要求元のサイネージ装置１０へ送信する（ステップＰ５´）。
【００７２】
例えば前記設置国／地域情報「中国／北京」であるサイネージ装置１０Ｃにおいて、中国語の北京弁で北京人向けの内容のコンテンツが再生されている状態で、前記設置国／地域情報「日本／東京」であるサイネージ装置１０Ａと前記設置国／地域情報「日本／大阪」であるサイネージ装置１０Ｂとを最多で同じ回数かあるいは略同じ回数利用（接続）しているユーザ（ユーザ端末４０）が接近した場合には、当該各サイネージ装置１０Ａ，１０Ｂの各設置国／地域情報「日本／東京」「日本／大阪」が前記ユーザ選択情報（各国／地域）として前記サイネージ装置「中国／北京」１０Ｃへ送信される。
【００７３】
前記サイネージ装置「中国／北京」１０Ｃにおいて、前記サーバ３０から送信されたユーザ選択情報（「日本／東京」「日本／大阪」）が受信されると（ステップＳ４２´（Ｙｅｓ））、当該受信したユーザ選択情報（「日本／東京」「日本／大阪」）の選択メニューを前記メニュー選択ボタン１４ａ〜１４ｄのうちの２つに対応して前記スクリーンパネル１２の下部に表示する（ステップＳ４３´）。
【００７４】
そして、前記メニュー選択ボタン１４ａ〜１４ｄのユーザ操作に応じて、ユーザ任意の国／地域（例えば「日本／東京」）が選択されると（ステップＳ４４´（Ｙｅｓ））、自装置１０Ｃの設置国／地域情報「中国／北京」と、前記選択された国／地域「日本／東京」とが異なると判断される（ステップＳ５´（Ｎｏ））。
【００７５】
すると、前記ステップＳ２に従い再生中である中国／北京向けコンテンツが、前記ユーザが選択した国／地域「日本／東京」に応じた言語／内容の日本／東京向けコンテンツに切り替えられて再生される（ステップＳ６´→Ｓ２）。
【００７６】
これにより、前記各設置国／地域のサイネージ装置１０（１０Ａ，１０Ｂ，…）の何れかを利用したユーザが、例えば、これまでに複数の国／地域のサイネージ装置１０Ａ，１０Ｂ，…を同じか略同等の回数利用（ユーザ端末４０と接続）している場合には、当該略同等に利用（接続）している各サイネージ装置１０Ａ，１０Ｂ，…の各国／地域のうちユーザ任意の国／地域を選択することができ、当該選択した国／地域向けの言語／内容のコンテンツを視聴できるようになる。
【００７７】
なお、前記各実施形態では、各サイネージ装置１０（１０Ａ，１０Ｂ，…）とサーバ３０とを分けて説明したが、前記通信ネットワークＮを介して通信接続可能な各サイネージ装置１０（１０Ａ，１０Ｂ，…）の何れかに前記サーバ３０の機能を持たせてもよい。
【００７８】
また、前記出力装置の各実施形態では、サイネージ装置１０（１０Ａ，１０Ｂ，…）により各種のコンテンツを再生するものとして説明したが、動画、静止画、音声等を再生可能な装置であれば、前記サイネージ装置１０に限らないのは勿論である。
【００７９】
前記実施形態において記載したコンテンツ再生システムのサイネージ装置１０及びサーバ３０による各処理の手法、すなわち、図６，図７のフローチャートに示すコンテンツ再生処理、図８のフローチャートに示すユーザ情報推定処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記憶装置の媒体に格納して配布することができる。そして、表示装置（１１，１２）や音声出力装置（１３）を備えた電子機器のコンピュータ（ＣＰＵ）は、この外部記憶装置の媒体に記憶されたプログラムを記憶装置に読み込み、この読み込んだプログラムによって動作が制御されることにより、前記各実施形態において説明したコンテンツ再生機能を実現し、前述した各手法による同様の処理を実行することができる。
【００８０】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示装置（１１，１２）や音声出力装置（１３）を備えた電子機器に取り込んで記憶装置に記憶させ、前述したコンテンツ再生機能を実現することもできる。
【００８１】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８２】
以下に、本願出願の当初の特許請求の範囲に記載された発明を付記する。
【００８３】
［１］
外部端末と接続する端末接続手段と、
前記端末接続手段により接続された外部端末の端末情報を取得する端末情報取得手段と、
前記端末情報取得手段により取得された端末情報に対応した外部端末と自装置を含む複数の出力装置との接続回数および当該各出力装置の場所情報に基づいて、前記接続された外部端末に関する場所情報を取得する場所情報取得手段と、
前記場所情報取得手段により取得された前記接続された外部端末に関する場所情報と自装置の場所情報とに基づいて出力対象のコンテンツを制御する出力制御手段と、
を備えたことを特徴とする出力装置。
【００８４】
［２］
前記場所情報取得手段は、前記端末情報取得手段により取得された端末情報に対応した外部端末と自装置を含む複数の出力装置との接続回数および当該各出力装置の場所情報に基づいて、当該接続回数が最多の出力装置の場所情報を前記接続された外部端末に関する場所情報として取得する、
ことを特徴とする［１］に記載の出力装置。
【００８５】
［３］
前記場所情報取得手段は、前記端末情報取得手段により取得された端末情報に対応した外部端末と自装置を含む複数の出力装置との接続回数および当該各出力装置の場所情報に基づいて、当該接続回数が最多又は最多以下所定の範囲で複数の出力装置が存在する場合は、当該複数の出力装置のうち最初に接続した出力装置の場所情報を前記接続された外部端末に関する場所情報として取得する、
ことを特徴とする［１］又は［２］に記載の出力装置。
【００８６】
［４］
前記場所情報取得手段は、前記端末情報取得手段により取得された端末情報と自装置の情報とをサーバへ送信し、当該サーバから、前記送信した端末情報に対応した外部端末と自装置を含む複数の出力装置との接続回数および当該各出力装置の場所情報に基づいて、前記接続された外部端末に関する場所情報を取得する、
ことを特徴とする［１］乃至［３］の何れかに記載の出力装置。
【００８７】
［５］
前記場所情報取得手段は、
前記端末情報取得手段により取得された端末情報に対応した外部端末と自装置を含む複数の出力装置との接続回数および当該各出力装置の場所情報に基づいて、当該接続回数が最多又は最多以下所定の範囲で複数の出力装置が存在する場合、当該複数の出力装置それぞれの場所情報を取得する複数場所情報取得手段を有する、
ことを特徴とする［１］乃至［４］の何れかに記載の出力装置。
【００８８】
［６］
前記複数場所情報取得手段は、前記端末情報取得手段により取得された端末情報と自装置の情報とをサーバへ送信し、当該サーバから、前記送信した端末情報に対応した外部端末と自装置を含む複数の出力装置との接続回数および当該各出力装置の場所情報に基づいて、当該接続回数が最多又は最多以下所定の範囲で複数の出力装置が存在する場合、当該複数の出力装置それぞれの場所情報を取得する、
ことを特徴とする［５］に記載の出力装置。
【００８９】
［７］
前記出力制御手段は、前記場所情報取得手段により取得された前記接続された外部端末に関する場所情報と自装置の場所情報とが異なる場合に前記出力対象のコンテンツを切り替える、
ことを特徴とする［１］乃至［６］の何れかに記載の出力装置。
【００９０】
［８］
出力装置のコンピュータを制御するための出力方法であって、
外部端末と接続し、
前記接続された外部端末の端末情報を取得し、
前記取得された端末情報に対応した外部端末と自装置を含む複数の出力装置との接続回数および当該各出力装置の場所情報に基づいて、前記接続された外部端末に関する場所情報を取得し、
前記取得された前記接続された外部端末に関する場所情報と自装置の場所情報とに基づいて出力対象のコンテンツを制御する、
ことを特徴とする出力方法。
【００９１】
［９］
出力装置のコンピュータを制御するためのプログラムであって、
前記コンピュータを、
外部端末と接続する端末接続手段と、
前記端末接続手段により接続された外部端末の端末情報を取得する端末情報取得手段と、
前記端末情報取得手段により取得された端末情報に対応した外部端末と自装置を含む複数の出力装置との接続回数および当該各出力装置の場所情報に基づいて、前記接続された外部端末に関する場所情報を取得する場所情報取得手段と、
前記場所情報取得手段により取得された前記接続された外部端末に関する場所情報と自装置の場所情報とに基づいて出力対象のコンテンツを制御する出力制御手段、
として機能させるためのコンピュータ読み取り可能なプログラム。
【符号の説明】
【００９２】
１０  …サイネージ装置（出力装置）
１１  …投影部
１２  …スクリーンパネル
１３  …スピーカ
１４ａ〜１４ｄ…メニュー選択ボタン
１５  …人感センサ
１７  …コンテンツメモリ
１８  …投影画像駆動部
１９  …マイクロミラー素子
２０  …光源部
２３  …ＣＰＵ
２５  …プログラムメモリ
２６  …音処理部
２７  …ネットワーク通信部
２８  …近距離無線通信部
３０  …サーバ
４０  …ユーザ端末
【図１】
2017228174.tif 000003
【図２】
2017228174.tif 000004
【図３】
2017228174.tif 000005
【図４】
2017228174.tif 000006
【図５】
2017228174.tif 000007
【図６】
2017228174.tif 000008
【図７】
2017228174.tif 000009
【図８】
2017228174.tif 000010
【図９】
2017228174.tif 000011
【図１０】
2017228174.tif 000012